(57)【要約】【課題】本発明はポインティングデバイスの押しボタン構造に関し、押しボタンの配置密度は維持して、押し操作したときの感触の向上を図ることを課題とする。【解決手段】カバー３０の裏面に、共に合成樹脂成型部品である第１の押しボタン集合部材５０と第２の押しボタン集合部材６０とが重なるように取り付けてある。第１の押しボタン集合部材５０は、三つの第１の押しボタン５１−１、５１−２、５１−３と、第１の連結リブ５２−１、５２−２、５２−３とよりなる。隣り合う第１の押しボタン５１−１、５１−２等の間の間隔２×Ｋは、カバー３０に並んで隣り合っている押しボタン用の開口窓３１−１〜３１−３、３２−１〜３２−３の間の間隔Ｋの二倍である。第２の押しボタン集合部材６０は、第１の押しボタン集合部材５０と略同じ構成である。第１、第２の押しボタン集合部材５０、６０は、第１の押しボタン５１−１、５１−２、５１−３と、第２の押しボタン６１−１、６１−２、６１−３とが交互に位置するように組み合わされている。【選択図】図４
2010123311.tif 000002
【特許請求の範囲】
【請求項１】
操作面部材に並んで形成してある開口窓より突き出ている操作ボタンを押し操作をすると該操作ボタンが変位してスイッチを動作させる操作ボタン構造において、
隣り合う操作ボタンの間の間隔が前記操作面部材の隣り合う開口窓の間の間隔より広い間隔で配置してある複数の操作ボタンと、隣り合う該操作ボタンの間を連結する複数の連結リブを、有する操作ボタン集合部材を複数有し、
複数の該操作ボタン集合部材が、異なる操作ボタン集合部材の操作ボタンが隣り合うようにして前記操作面部材に取り付けてある、操作ボタン構造。
【請求項２】
前記開口窓は、円周に沿って等しい間隔をおいて環状に並んでおり、
前記操作ボタン集合部材は、隣り合う該操作ボタンが、隣り合う前記開口窓の間の間隔の整数倍の間隔で配置してある、請求項１に記載の操作ボタン構造。
【請求項３】
前記開口窓は、マトリクス状に並んでおり、
前記操作ボタン集合部材は、隣り合う該操作ボタンが、一つおきの開口窓に対応するように配置してある、請求項１に記載の操作ボタン構造。
【請求項４】
前記操作ボタン集合部材は、合成樹脂製である、請求項１乃至請求項３のうち何れか一項に記載の操作ボタン構造。
【請求項５】
前記操作面部材は、６つの開口窓が円周に沿って等しい間隔をおいて環状に並んでいる構成であり、
前記操作ボタン集合部材は、前記６つの開口窓のうち一つおきの開口窓に対応するように配置してある三つの第１の操作ボタンを有し、隣り合う第１の操作ボタンの間を連結する三つの第１の連結リブを有し、リング状である第１の操作ボタン集合部材と、前記６つの開口窓のうち残りの開口窓に対応するように配置してある三つの第２の操作ボタンを有し、隣り合う第２の操作ボタンの間を連結する三つの第２の連結リブを有し、リング状である第２の操作ボタン集合部材とよりなり、
前記第１の操作ボタン集合部材と、前記第２の操作ボタン集合部材とが、前記第１の操作ボタン集合部材の第１の操作ボタンと前記第２の操作ボタン集合部材の第２の操作ボタンとが、交互に並ぶように、前記操作面部材の裏面に取り付けてあり、
前記第１の操作ボタンが押し操作されると前記第１の連結リブが弾性的に撓み、前記第２の操作ボタンが押し操作されると前記第２の連結リブが弾性的に撓む、請求項１に記載の操作ボタン構造。
【請求項６】
前記操作面部材は、その裏面に、フックを有し、
前記第１の操作ボタン集合部材は、前記各第１の連結リブの中央を前記フックに係止され、前記第２の操作ボタン集合部材は、前記各第２の連結リブの中央を前記フックに係止されており、
前記第１の操作ボタンが押し操作されると、該第１の操作ボタンに連結してある二つの前記第１の連結リブのうち前記フックで係止されている部位から該第１の操作ボタンの側の部分が弾性的に撓み、
前記第２の操作ボタンが押し操作されると、該第２の操作ボタンに連結してある二つの前記第２の連結リブのうち前記フックで係止されている部位から該第２の操作ボタンの側の部分が弾性的に撓む、請求項５に記載の操作ボタン構造。
【請求項７】
前記操作面部材は、その裏面に、支持リブを有し、
前記第１の連結リブは、その中央にＵ字形状部を有し、
該Ｕ字形状部を前記支持リブに係合されて、前記第１の操作ボタン集合部材は、周方向の位置を決められている、請求項５に記載の操作ボタン構造。
【請求項８】
前記第１の連結リブは、円弧状のリブ部と、該円弧状のリブ部の両端より径方向であって前記第１の押しボタン集合部材の中心とは反対の方向に延在する径方向リブ部とを有し、
前記第２の連結リブは、円弧状のリブ部と、該円弧状のリブ部の両端より径方向であって前記第２の押しボタン集合部材の中心とは反対の方向に延在する径方向リブ部とを有する、請求項５に記載の操作ボタン構造。
【請求項９】
前記第２の連結リブは、その円弧状のリブ部が、前記第１の連結リブの円弧状のリブ部に、間に隙間をおいて重なっており、
前記第１の連結リブは、前記隙間内で弾性的に撓む、請求項８に記載の操作ボタン構造。
【請求項１０】
請求項１乃至請求項９のうち何れか一項に記載の操作ボタン構造を有する操作装置。
【発明の詳細な説明】
【技術分野】
【０００１】
本発明は操作ボタン構造に係り、特に、手で持って操作される小型のポインティングデバイスの操作ボタン構造に関する。
【背景技術】
【０００２】
小型のポインティングデバイスは、上面に、操作ボタンが複数並んで配置してある構成であり、操作者が片手で持って、その手の指先で操作ボタンを押して使用される。
【０００３】
従来の操作ボタンが複数並んで配置してある構造は、複数の操作ボタンが規則的に並んでいるゴム製の操作ボタン部材を用意し、この操作ボタン部材を、ポインティングデバイスのカバーの裏面に取り付けた構成である。
【０００４】
操作ボタンが押し操作されたときに、隣り合う操作ボタンをつないでいる部分が自由に撓むことによって、操作ボタンが押し操作された方向に変位され、操作ボタンの下面がスイッチのアクチュエータを押して、スイッチが動作される。
【特許文献１】特開２００７−３８５３０号公報
【発明の開示】
【発明が解決しようとする課題】
【０００５】
操作ボタンがゴム製であるので、操作したときに動作するスイッチからの衝撃が操作者の指先に伝わる過程で、操作ボタン内で緩衝されてしまい、操作感触が鈍いものとなってしまう傾向があった。
【０００６】
ここで、操作ボタン部材の材質を変えて合成樹脂製とすると、操作ボタン内で緩衝が起こらず、操作感触は向上する。
【０００７】
しかし、操作ボタン部材を合成樹脂製とすると、隣り合う操作ボタンの間に存在する部分が自由に撓まないので、操作ボタンを適度な力で押し操作したときに変位させることができない。
【０００８】
隣り合う操作ボタンの間に存在する部分をいくらかでも撓み易くするための一つの手段として、隣り合う操作ボタンの間を拡げることが考えられるが、このようにした場合には、操作ボタンを密に配置することは出来なくなってしまう。
【０００９】
そこで、本発明は、上記課題を解決した操作ボタン構造を提供することを目的とする。
【課題を解決するための手段】
【００１０】
本発明は、操作面部材に並んで形成してある開口窓より突き出ている操作ボタンを押し操作をすると該操作ボタンが変位してスイッチを動作させる操作ボタン構造において、
隣り合う操作ボタンの間の間隔が前記操作面部材の隣り合う開口窓の間の間隔より広い間隔で配置してある複数の操作ボタンと、隣り合う該操作ボタンの間を連結する複数の連結リブを、有する操作ボタン集合部材を複数有し、
複数の該操作ボタン集合部材が、異なる操作ボタン集合部材の操作ボタンが隣り合うようにして前記操作面部材に取り付けてある構成である。
【発明の効果】
【００１１】
複数の該操作ボタン集合部材が、異なる操作ボタン集合部材の操作ボタンが隣り合うようにして前記操作面部材に取り付けてあるので、操作面部材上に、操作ボタンを従来と同様に密に配置することが出来る。
【００１２】
個々の操作ボタン集合部材についてみると、隣り合う操作ボタンの間の間隔が操作面部材の隣り合う開口窓の間の間隔より広い間隔で配置してあるので、連結リブの長さを長くとることが可能であり、操作ボタン集合部材が合成樹脂製であっても、操作ボタンが押し操作されたときに連結リブが十分に弾性限度の範囲内で無理なく弾性的に撓むことが可能と出来る。
【００１３】
操作ボタン集合部材を合成樹脂製とすると、操作したときに動作するスイッチからの衝撃が操作者の指先に伝わる過程で、操作ボタン内で緩衝されることが起きず、操作ボタン集合部材がゴム製である従来に比較して、操作者は指先に鋭い感触を得ることが出来、操作感触の向上を図ることが出来る。即ち、操作ボタンの配置の密度を従来と同様に維持した状態で、操作感触の向上を図ることが出来る。
【発明を実施するための最良の形態】
【００１４】
次に発明を実施するための最良の形態について説明する。
【実施例１】
【００１５】
図１は本発明の実施例１になるポインティングデバイス１０を示す。図２は図１中の押しボタン構造４０の部分を拡大して示す、図１中、II-II線に沿う断面図である。Ｘ１−Ｘ２は幅方向、Ｙ１−Ｙ２は長手方向、Ｚ１−Ｚ２は厚さ方向である。
【００１６】
操作装置としてのポインティングデバイス１０は、略直方体であり、片手で握り易い大きさである。ポインティングデバイス１０は、箱形状のケース１１の内部にプリント基板装置２０が組み込んであり、操作面部材としてのカバー３０がケース１１の上面開口を覆うように取り付けてある構成である。カバー３０に操作ボタン構造としての押しボタン構造４０が取り付けてある。
【００１７】
カバー３０の表面３０ａには、円形の開口窓３３より円形の操作ボタン１５が突き出ており、開口窓３３を囲むように配置してある略長方形の開口窓３１−１〜３１−３、３２−１〜３２−３より操作ボタンとしての第１の押しボタン５１−１〜５１−３と操作ボタンとしての第２の押しボタン６１−１〜６１−３とが交互に並んで突き出ている。第１、第２の押しボタン５１−１〜５１−３、６１−１〜６１−３は、図２に示すように、プリント基板装置２０上に円に沿って配置してあるスイッチ２１−１、２２−３等と対向している。第１、第２の押しボタン５１−１〜５１−３、６１−１〜６１−３は半径Ｒの円Ｃに沿って周方向に間隔Ｋで密に並んでいる。
【００１８】
操作者は、ポインティングデバイス１０を握っている手の指で第１、第２の押しボタン５１−１〜５１−３、６１−１〜６１−３を押す操作を行うと、押しボタンがＺ２方向に変位して、スイッチ２１−１、２２−３等が動作される。
【００１９】
[押しボタン構造４０]
次に押しボタン構造４０について説明する。
【００２０】
図３は押しボタン構造４０を備えたカバー３０を示す。図４はこの押しボタン構造４０を分解して示す斜視図であり、図５は押しボタン構造４０を分解して示す断面図である。図６（Ａ）はカバー３０を反転した状態で押しボタン構造４０を示す斜視図である。図７はこの押しボタン構造４０を分解して示す斜視図である。
【００２１】
押しボタン構造４０は、カバー３０の裏面３０ｂに、第１の押しボタン集合部材５０と第２の押しボタン集合部材６０とが重なるように取り付けられた構成である。
【００２２】
[カバー３０の形状]
図４に示すように、板状のカバー３０には、円形の開口窓３３と、開口窓３３を囲むように交互に並んで角度α（６０度）の等角度間隔で配置してある略長方形の第１の開口窓３１−１〜３１−３及び第２の開口窓３２−１〜３２−３とが形成してある。即ち、第１の開口窓３１−１〜３１−３及び第２の開口窓３２−１〜３２−３は、開口窓３３の外側に前記の円Ｃの円周に沿って、等しい間隔Ｋをおいて、環状に並んでいる。
【００２３】
３４は環状部であり、カバー３０のうち、開口窓３３と第１、第２の開口窓３１−１〜３１−３、３２−１〜３２−３との間の部分である。
【００２４】
図７及び図５に示すように、カバー３０の裏面３０ｂのうち、上記の環状部３４に、操作ボタン集合部材としての第１、第２の押しボタン集合部材５０、６０を固定するためのリブ及びフック等がＺ２方向に突き出て形成してある。
【００２５】
即ち、環状のリブ部３５が開口窓３３の縁に沿って形成してある。環状リブ部３５のうち、第１の開口窓３１−１〜３１−３と第２の開口窓３２−１〜３２−３との間に対応する６箇所に、Ｚ２方向に突き出た突起部３６とフック付き突起部３６ａが形成してある。フック突起部３６ａがプリント基板装置２０の穴を貫通して穴の縁を係止してプリント基板装置２０を固定し、突起部３６はプリント基板装置２０の上面に当接してプリント基板装置２０のカバー３０に対する高さ位置を決める。
【００２６】
第１のフック３７−１〜３７−３と、支持リブ対３８−１〜３８−３とが、環状部３４のうち、第２の開口窓３２−１〜３２−３の周方向の中心に対応する箇所に、形成してある。第１のフック３７−１〜３７−３は、第２の開口窓３２−１〜３２−３の内周側の縁の近くの箇所に形成してある。支持リブ対３８−３は、円環状リブ部３４より外周方向に延びて、第１のフック３７−３の両側に配されたリブ部３８−３ａと３８−３ｂとよりなる。他の支持リブ対３８−１、３８−２も、上記の支持リブ対３８−３と同じ構成である。
【００２７】
第２のフック３９−１〜３９−３が、環状部３４のうち、第１の開口窓３１−１〜３１−３の周方向の中心に対応する箇所であって、第１の開口窓３１−１〜３１−３の内周側の縁の近くの箇所に形成してある。
【００２８】
[第１の押しボタン集合部材５０の形状]
図８（Ａ），（Ｂ）、図４、図５、図７に示すように、第１の押しボタン集合部材５０は、例えばＡＢＳ(acrylonitrile-butadiene-styrene resin)製である合成樹脂成型部品であり、リング状であり、カバー３０に並んでいる押しボタンの数「６」の半分である３つの第１の押しボタン５１−１、５１−２、５１−３が、角度βの等角度間隔、即ち、等しい間隔２×Ｋで配置してあり、隣り合う第１の押しボタン５１−１、５１−２の間が第１の連結リブ５２−１、隣り合う第１の押しボタン５１−２、５１−３の間が第１の連結リブ５２−２、隣り合う第１の押しボタン５１−３、５１−１の間が第１の連結リブ５２−３で夫々連結してある構成である。
【００２９】
隣り合う第１の押しボタン５１−１、５１−２等の間の角度βは１２０度であり、前記の角度αの２倍である。即ち、隣り合う第１の押しボタン５１−１、５１−２等の間の間隔２×Ｋは、カバー３０に形成してある隣り合う開口窓の間の間隔Ｋ、例えば、第１の開口窓３１−１と第２の開口窓３２−１との間の間隔Ｋの２倍となっており、これによって、第１の連結リブ５２−１等は、長い長さとなっている。
【００３０】
第１の押しボタン５１−１、５１−２、５１−３は、前記第１の開口窓３１−１〜３１−３に対応する形状であり、同じ寸法形状であり、略長方形状である。
【００３１】
第１の連結リブ５２−１、５２−２、５２−３は、共に略円弧状であり、同じ寸法形状である。
【００３２】
第１の連結リブ５２−１は、円弧状のリブ部５３−１と、この円弧状リブ部５３−１の両端より径方向であって第１の押しボタン集合部材５０の中心とは反対の方向に延在する径方向リブ部５４−１、５５−１とを有する。径方向リブ部５４−１の先端が、第１の押しボタン５１−１と連結しており、径方向リブ部５５−１の先端が、第１の押しボタン５１−２と連結している。
【００３３】
ここで、第１には、隣り合う第１の押しボタン５１−１、５１−２の間は別の一つの押しボタンの分を空けており、隣り合う第１の押しボタン５１−１、５１−２の間の間隔は２×Ｋと広くなっていることによって、第２には、径方向リブ部５４−１、５５−１を有していることによって、第１の円弧状のリブ４２−１の長さＬ１は長い。
【００３４】
円弧状リブ部５３−１の中央の箇所には、Ｚ２方向に突き出たＵ字形状部５６−１が形成してある。このＵ字形状部５６−１は、支持リブ対３８−１等に対応する寸法形状である。
【００３５】
他の第１の連結リブ５２−２、５２−３も、上記の第１の連結リブ５２−１と同じ寸法形状である。
【００３６】
５７−１〜５７−３は、第１の押しボタン集合部材５０をカバー３０に取り付けたときに固定される部位であり、Ｕ字形状部５６−１〜５６−３の中央である。
【００３７】
５８−１〜５８−３、５９−１〜５９−３は、第１の押しボタン集合部材５０をカバー３０に取り付けた状態で、各第１の連結リブ５２−１〜５２−３の全長のうち撓みが可能である撓み可能区間部である。撓み可能区間部５８−１〜５８−３、５９−１〜５９−３は、各第１の連結リブ５２−１〜５２−３の全長Ｌ１の半分の長さＬ２である。ここで、長さＬ１は長いので、長さＬ２も長い。
【００３８】
また、第１の連結リブ５２−１〜５２−３の厚さｔは、各第１の押しボタン５１−１、５１−２、５１−３を押したときに長さＬ２の撓み可能区間部５８−１〜５８−３、５９−１〜５９−３が無理なく弾性的に撓むような寸法としてある。
【００３９】
各第１の押しボタン５１−１、５１−２、５１−３には、２つの第１の連結リブ５２−１〜５２−３が連結してあるので、各第１の押しボタン５１−１、５１−２、５１−３に１つの連結リブが連結してある構成に比較して、第１の連結リブ５２−１〜５２−３の厚さｔは薄く出来、このことによっても、撓み可能区間部５８−１〜５８−３、５９−１〜５９−３は無理なく弾性的に撓むことが可能である。
【００４０】
また、夫々、第１の連結リブ５２−１、５２−２、５２−３と連結してある箇所が２箇所であり、且つ、その箇所が、押しボタンの長手方向の両端に近い箇所であり離れている。このため、各第１の押しボタン５１−１、５１−２、５１−３の支持状態は安定であり、且つ、押し操作されたときのＺ２方向への変位も安定に行われる。
【００４１】
第１の押しボタン５１−１、５１−２、５１−３は同じ寸法形状であり、第１の円弧状のリブ５２−１、５２−２、５２−３も同じ寸法形状であるので、第１の押しボタン集合部材５０は方向性を有していない。
【００４２】
図５に示すように、第１の連結リブ５２−１、５２−２、５２−３は、第１の押しボタン５１−１、５１−２、５１−３のＺ２側の面と同じ高さに位置している。
【００４３】
なお、第１の押しボタン５１−１、５１−２、５１−３は裏面側が凹んだ形状として図示してあるが、後述スイッチのアクチュエータに対応する部位には、アクチュエータを押すためのアクチュエータ押しリブ（図示せず）が形成してある。
【００４４】
[第２の押しボタン集合部材６０の形状]
図９（Ａ），（Ｂ）は第２の押しボタン集合部材６０を示す。第２の押しボタン集合部材６０は、例えばＡＢＳ製である合成樹脂成型部品であり、リング状であり、カバー３０に並んでいる押しボタンの数「６」の半分である３つの第２の押しボタン６１−１、６１−２、６１−３が、角度βの等角度間隔で、即ち、等しい間隔２×Ｋで配置してあり、隣り合う第２の押しボタン６１−１、６１−２の間が第２の連結リブ６２−１、隣り合う第２の押しボタン６１−２、６１−３の間が第１の連結リブ６２−２、隣り合う第２の押しボタン６１−３、６１−１の間が第１の連結リブ６２−３で夫々連結してある構成である。
【００４５】
第２の押しボタン集合部材６０は、第２の円弧状のリブの一部を除いて、前記第１の押しボタン集合部材５０と同じであり、図９（Ａ），（Ｂ）中、第１の押しボタン集合部材５０と対応する部分には、対応する符号を付し、その説明は省略する。
【００４６】
第２の連結リブ６２−１は、円弧状のリブ部６３−１と、この円弧状リブ部６３−１の両端より径方向であって第２の押しボタン集合部材６０の中心とは反対の方向に延在する径方向リブ部６４−１、６５−１と、各径方向リブ部６４−１、６５−１の先端よりＺ１方向に突き出た柱状リブ部７０−１、７１−１を有する。柱状リブ部７０−１の先端が、第２の押しボタン６１−１と連結しており、柱状リブ部７１−１の先端が、第２の押しボタン６１−２と連結している。
【００４７】
柱状リブ部７０−１、７１−１が存在することによって、第２の円弧状リブ６２−１、６２−２、６２−３は、図５に示すように、押しボタン６１−１、６１−２、６１−３に対してそのＺ２側の面よりＺ２側に寸法Ａ偏倚した高さに位置している。第１の押しボタン集合部材６０と第２の押しボタン集合部材７０とが干渉しないようにするためである。
【００４８】
第２の連結リブ６２−１は、Ｚ１方向に突き出ているＵ字形状部６６−１と、固定される部位定６７−１と、撓み可能区間部６８−１、６９−１とを有する。
【００４９】
別の第２の連結リブ６２−２、６２−３も、上記の第２の連結リブ６２−１と同じである。
【００５０】
また、第２の押しボタン６１−１、６１−２、６１−３は裏面側が凹んだ形状として図示してあるが、後述スイッチのアクチュエータに対応する部位には、アクチュエータを押すためのアクチュエータ押しリブ（図示せず）が形成してある。
【００５１】
[押しボタン構造４０]
押しボタン構造４０は、カバー３０の裏面に、最初に、図１０に示すように、第１の押しボタン集合部材５０を取り付け、次いで、第２の押しボタン集合部材６０を取り付け、更に、プリント基板装置２０を取り付けることによって完成する。
【００５２】
第１の押しボタン集合部材５０は、図１０に示すように、第１の押しボタン５１−１、５１−２、５１−３が対応する開口窓３１−１、３１−２、３１−３に嵌合し、第１の連結リブ５２−１、５２−２、５２−３が、環状リブ部３５の外側に位置し、Ｕ字形状部５６−１、５６−２、５６−３が対応する支持リブ対３８−１〜３８−３と係合し、部位５７−１、５７−２、５７−３を対応する第１のフック３７−１、３７−２、３７−３によって係止されて、カバー３０の裏面３０ｂに取り付けてある。即ち、第１の押しボタン集合部材５０は、第１の連結リブ５２−１、５２−２、５２−３の中央の箇所を係止され、第１の連結リブ５２−１、５２−２、５２−３は環状部３４の面に当接して、Ｚ１−Ｚ２方向の位置を規制されて取り付けてある。なお、第１のフック３７−１、３７−２、３７−３に係止されるときにＵ字形状部５６−１、５６−２、５６−３が少し弾性的に撓まされ、第１の連結リブ５２−１、５２−２、５２−３は環状部３４の面に確実に当接している。
【００５３】
第２の押しボタン集合部材６０は、図６（Ａ）に示すように、第２の押しボタン６１−１、６１−２、６１−３が対応する開口窓３２−１、３２−２、３２−３に嵌合し、第２の連結リブ６２−１、６２−２、６２−３の部位６７−１、６７−２、６７−３を対応する第１のフック３９−１、３９−２、３９−３によって係止されて、カバー３０の裏面３０ｂに取り付けてある。即ち、第２の押しボタン集合部材６０は、第２の連結リブ６２−１、６２−２、６２−３の中央の箇所を係止されて、且つ、径方向リブ部６４−１、６５−１等が環状部３４の面に当接して、Ｚ１−Ｚ２方向の位置を規制されて取り付けてある。
【００５４】
第１の押しボタン集合部材５０と第２の押しボタン集合部材６０とは同じ円上に配置してある。
【００５５】
第１の押しボタン集合部材５０については、Ｕ字形状部５６−１、５６−２、５６−３が対応する支持リブ対３８−１〜３８−３と係合して、周方向の位置を決められており、且つ、Ｕ字形状部５６−１、５６−２、５６−３が第１のフック３７−１、３７−２、３７−３に係止されて径方向の位置を決められている。
【００５６】
第２の押しボタン集合部材６０の第２の連結リブ６２−１、６２−２、６２−３の円弧状リブ部６３−１、６３−２、６３−３の一部は第１の押しボタン集合部材５０の第１の連結リブ５２−１、５２−２、５２−３の円弧状リブ部５３−１、５３−２、５３−３の一部のＺ２側に重なっている。重なっている円弧状リブ部の間には、図６（Ａ）、（Ｂ）に符号８０で示すように、隙間が存在している。
【００５７】
第１の押しボタン５１−１、５１−２、５１−３と第２の押しボタン６１−１、６１−２、６１−３とは周方向に交互に並んでおり、密に配置してある。
【００５８】
プリント基板装置２０は、突起部３６及びフック付き突起部３６ａによって位置を決められて固定され、スイッチ２１−１、２２−３等が第１、第２の押しボタン５１−１〜５１−３、６１−１〜６１−３と対向する。
【００５９】
操作者が第１の押しボタン５１−１を指先で押し操作した場合は、第１の連結リブ５２−１の撓み可能区間部５８−１と第１の連結リブ５２−３の撓み可能区間部５９−３とがＺ２方向に前記の隙間８０内で弾性的に撓むことによって第１の押しボタン５１−１がＺ２方向に変位され、第１の押しボタン５１−１のアクチュエータ押しリブがスイッチ２１−１のアクチュエータを押して、スイッチ２１−１が動作される。
【００６０】
第１の押しボタン５１−２を指先で押し操作した場合は、第１の連結リブ５２−２の撓み可能区間部５８−２と第１の連結リブ５２−１の撓み可能区間部５９−１とがＺ２方向に前記の隙間８０内で弾性的に撓むことによって第１の押しボタン５１−２がＺ２方向に変位され、別のスイッチが動作される。
【００６１】
第１の押しボタン５１−３を指先で押し操作した場合は、第１の連結リブ５２−３の撓み可能区間部５８−３と第１の連結リブ５２−２の撓み可能区間部５９−２とがＺ２方向に前記の隙間８０内で弾性的に撓むことによって第１の押しボタン５１−３がＺ２方向に変位され、別のスイッチが動作される。
【００６２】
操作者が第２の押しボタン６１−１を指先で押し操作した場合は、第２の連結リブ６２−１の撓み可能区間部６８−１と第１の連結リブ６２−３の撓み可能区間部６９−３とがＺ２方向に弾性的に撓むことによって第２の押しボタン６１−１がＺ２方向に変位され、別のスイッチのアクチュエータを押して、別のスイッチが動作される。
【００６３】
第２の押しボタン６１−２を指先で押し操作した場合は、第１の連結リブ６２−２の撓み可能区間部６８−２と第２の連結リブ６２−１の撓み可能区間部６９−１とがＺ２方向に弾性的に撓むことによって第２の押しボタン６１−２がＺ２方向に変位され、別のスイッチが動作される。
【００６４】
第２の押しボタン６１−３を指先で押し操作した場合は、第１の連結リブ６２−３の撓み可能区間部６８−３と第２の連結リブ６２−２の撓み可能区間部６９−２とがＺ２方向に弾性的に撓むことによって第２の押しボタン６１−３がＺ２方向に変位され、第２の押しボタン６１−３のアクチュエータ押しリブがスイッチ２２−３のアクチュエータを押して、別のスイッチが動作される。
【００６５】
ここで、第１の押しボタン５１−１、５１−２、５１−３及び第２の押しボタン６１−１、６１−２、６１−３は、共に合成樹脂製であるので、操作したときに動作するスイッチ２１、２２からの衝撃が、押しボタン内で緩衝されることなく、操作者の指先に伝わる。よって、従来に比較して鋭い操作感触が得られる。よって、ポインティングデバイス１０は押しボタンがゴム製であるものに比較して良好な操作感触を有する。
【実施例２】
【００６６】
図１１は本発明の実施例２になるポインティングデバイス１０Ａを示す。ポインティングデバイス１０Ａは、円周方向に並んでいる押しボタンの数が奇数である７個の場合の例であり、７個の押しボタン１０１〜１０７が順に時計回り方向に等角度間隔で並んでいる押しボタン構造４０Ａを有する。
【００６７】
図１２は押しボタン構造４０Ａを分解して示す。押しボタン構造４０Ａは、カバー３０Ａの裏面に、共に例えばＡＢＳ製である第１の押しボタン集合部材１２０と、第２の押しボタン集合部材１３０と、第３の押しボタン集合部材１４０とが重なるようにして取り付けてある構成である。
【００６８】
カバー３０Ａには、７個の開口窓１１１〜１１７が一つの円の円周に沿って等間隔で形成してあり、その裏面には、押しボタン集合部材を保持するためのフック（図示せず）等が形成してある。隣り合う開口窓の間の間隔、例えば、開口窓１１１と開口窓１１２との間の間隔はＫＡである。
【００６９】
第１の押しボタン集合部材１２０は、時計回り方向に順に並んでいる７個の押しボタン１０１〜１０７から２つおき或いは１つおきに選んだ３つの押しボタン１０１、１０４、１０６が、円弧形状の連結リブ１２１、１２２、１２３によって連結してある構成である。
【００７０】
押しボタン１０１、１０４の間の間隔は、カバー３０Ａの隣り合う開口窓の間の間隔ＫＡの３倍であり、押しボタ１０４、１０６の間の間隔及び押しボタン１０６、１０１の間の間隔は、上記の間隔ＫＡの２倍であり、連結リブ１２１、１２２、１２３の長さは長い。
【００７１】
第２の押しボタン集合部材１３０は、残りの押しボタンより、直径方向の略反対側に位置する２つの押しボタン１０２、１０５が、円弧形状の連結リブ１３１、１３２によって連結してある構成である。押しボタン１０２、１０５の間の間隔は、上記の間隔ＫＡの３倍又は４倍あり、連結リブ１３１、１３２の長さは長い。
【００７２】
第３の押しボタン集合部材１４０は、残りの２つの押しボタン１０３、１０７が、円弧形状の連結リブ１４１、１４２によって連結してある構成である。押しボタン１０３、１０７の間の間隔は、上記の間隔ＫＡの３倍又は４倍あり、連結リブ１３１、１３２の長さは長い。
【００７３】
カバー３０Ａの裏面には、最初に、第１の押しボタン集合部材１２０が取り付けられ、次いで、第２の押しボタン集合部材１３０が取り付けられ、最後に、第３の押しボタン集合部材１４０が取り付けられて、第１、第２、第３の押しボタン集合部材１２０、１３０、１４０は、前記の実施例１の場合と略同じく、連結リブ１２１等同士が干渉しないようにして重なり合っている。
【００７４】
各押しボタン１０１〜１０７は、指先で押されたときに、これに繋がっている二本の連結リブを弾性的に撓ませつつ変位される。
【００７５】
なお、一つの円の円周に沿って９個の押しボタンが並ぶ構成の場合には、リング状の押しボタン集合部材を三つ用意する。各押しボタン集合部材は、三つの押しボタンを有し、隣り合う押しボタン間の間隔は、カバーに並んで隣り合っている押しボタン間の間隔の三倍であり、隣り合う押しボタン間を連結する連結リブは、相当に長い長さとなっている。三つの押しボタン集合部材は、押しボタンが、周方向に一つの押しボタンの分だけずらして順に並ぶように配置される。
【実施例３】
【００７６】
図１３は本発明の実施例３になるテレビ等の機器のリモコン１５０を示す。リモコン１５０は、１５個の押しボタン１５１〜１６５が、行方向（Ｘ方向）に３つ、列方向（Ｙ方向）に５つ、マトリクス状に並んでいる押しボタン構造４０Ｂを有する。
【００７７】
図１４は押しボタン構造４０Ａを分解して示す。押しボタン構造４０Ｂは、カバー３０Ｂの裏面に、共に例えばＡＢＳ製である第１の押しボタン集合部材１９０と、第２の押しボタン集合部材２００とが重なるようにして取り付けてある構成である。
【００７８】
カバー３０Ｂには、１５個の開口窓１７１〜１８５が３行、５列のマトリクス状に並んで形成してあり、その裏面には、押しボタン集合部材を保持するためのフック（図示せず）等が形成してある。行方向に隣り合う開口窓の間の間隔及び列方向に隣り合う開口窓の間の間隔は、共にＫＢである。
【００７９】
第１の押しボタン集合部材１９０は、マトリクス状に並んでいる１５個の開口窓１７１〜１８５の一つおきに選んだ８つの開口窓１７１、１７３、１７５、１７７、１７９、１８３、１８５に対応する配置の８つの押しボタン１５１、１５３、１５５、１５７、１５９、１６１、１６３、１６５と、Ｘ方向とＹ方向の間の方向に延在して、隣り合う押しボタンの間を連結する連結リブ１９１〜１９８とを有する構成である。連結リブでつながっている隣り合う押しボタン、例えば押しボタン１５１と押しボタン１５５との間の間隔Ｌ１０は、前記の間隔ＫＢより広い（Ｌ１０＞ＫＢ）。押しボタン１５５からは連結リブ１９１〜１９４が放射状に延在している。押しボタン１６１からは連結リブ１９５〜１９８が放射状に延在している。押しボタン１５１、１５３、１５５、１５７、１５９、１６１、１６３、１６５が分散して配置してあるので、各連結リブ１９１〜１９８の長さは長い。
【００８０】
第２の押しボタン集合部材２００は、残りの７つの開口窓１７２、１７４、１７６、１７８、１８０、１８２、１８４に対応する配置の押しボタン１５２、１５４、１５６、１５８、１６０、１６２、１６４と、Ｘ方向とＹ方向の間の方向に延在して、隣り合う押しボタンの間を連結する連結リブリブ２０１〜２０８とを有する構成である。連結リブでつながっている隣り合う押しボタン、例えば押しボタン１５２と押しボタン１５６との間の間隔Ｌ１０は、前記の間隔ＫＢより広い。押しボタン１５８からは連結リブ２０３〜２０６が放射状に延在している。押しボタン１５２、１５４、１５６、１５８、１６０、１６２、１６４が分散して配置してあるので、各連結リブ２０１〜２０８の長さは長い。
【００８１】
カバー３０Ｂの裏面において、第１の押しボタン集合部材１９０と第２の押しボタン集合部材２００とは、例えば連結リブ１９３と連結リブ２０３とは交差している。交差している箇所は、連結リブ１９３と連結リブ２０３との間に所定の隙間を有し、上側の連結リブ１９３が連結リブ２０３と干渉することなく下方に撓むようになっている。
【００８２】
各押しボタン１５１〜１６５は、指先で押されたときに、これに繋がっている連結リブを弾性的に撓ませつつ変位される。
【００８３】
また、第１、第２の押しボタン集合部材５０、６０は、合成ゴム製でもよい。また、第１、第２の押しボタン集合部材５０、６０は、合成樹脂製の場合には、ＡＢＳの他に、ＰＰ（ポリプロピレン）、ＰＥ（ポリエチレン）、ＨＤＰＥ（高密度ポリエチレン）、ＰＣ（ポリカーボネート）、ＰＶ（塩化ビニール樹脂）等の硬質の合成樹脂製であることが望ましい。
【図面の簡単な説明】
【００８４】
【図１】本発明の実施例１になるポインティングデバイスの斜視図である。
【図２】図１中の押しボタン構造の部分を拡大して示す、図１中、II-II線に沿う断面図である
【図３】押しボタン構造を備えたカバーの斜視図である。
【図４】押しボタン構造を分解して示す斜視図である。
【図５】押しボタン構造を分解して示す断面図である。
【図６】（Ａ）はカバーを反転した状態で押しボタン構造を示す斜視図、（Ｂ）はＢ−Ｂ線で切断した断面図である。
【図７】図６（Ａ）の押しボタン構造を分解して示す斜視図である。
【図８】（Ａ）は第１の押しボタン集合部材の斜視図、（Ｂ）は第１の押しボタン集合部材を反転した状態で示す斜視図である。
【図９】（Ａ）は第２の押しボタン集合部材の斜視図、（Ｂ）は第２の押しボタン集合部材を反転した状態で示す斜視図である。
【図１０】カバーに第１の押しボタン集合部材が取り付けられた状態を示す図である。
【図１１】本発明の実施例２になるポインティングデバイスを示す図である。
【図１２】図１１のポインティングデバイスの押しボタン構造を分解して示す斜視図である。
【図１３】本発明の実施例３になるリモコンを示す図である。
【図１４】図１３のリモコンの押しボタン構造を分解して示す斜視図である。
【符号の説明】
【００８５】
１０、１０Ａ  ポインティングデバイス
１１  ケース
２０  プリント基板装置
２１−１  スイッチ
２２−３  スイッチ
３０  カバー
３１−１〜３１−３  第１の開口窓
３２−１〜３２−３  第２の開口窓
３４  環状部
３６  突起部
３６ａ  フック付き突起部
３７−１〜３７−３  第１のフック
３８−１、３８−２、３８−３  支持リブ対
３９−１〜３９−３  第２のフック
４０  押しボタン構造
５０  第１の押しボタン集合部材
５１−１〜５１−３  第１の押しボタン
５２−１〜５２−３  第１の連結リブ
５３−１〜５３−３  円弧状のリブ部
５４−１〜５４−３、５５−１〜５５−３  径方向リブ部
５６−１〜５６−３  Ｕ字形状部
５８−１〜５８−３、５９−１〜５９−３  撓み可能区間部
６０  第２の押しボタン集合部材
６１−１〜６１−３  第２の押しボタン
６２−１〜６２−３  第２の連結リブ
６３−１〜６３−３  円弧状のリブ部
６４−１〜６４−３、６５−１〜６５−３  径方向リブ部
６６−１〜６６−３  Ｕ字形状部
６８−１〜６８−３、６９−１〜６９−３  撓み可能区間部
７０−１〜７０−３、７１−１〜７１−３  柱状リブ部
８０  隙間
１０１〜１０７  押しボタン
１２０  第１の押しボタン集合部材
１３０  第２の押しボタン集合部材
１４０  第３の押しボタン集合部材
１２１、１２２、１２３、１３１、１３２、１４１、１４２  連結リブ
１５０  リモコン
１５１〜１６５  押しボタン
１９０  第１の押しボタン集合部材
２００  第２の押しボタン集合部材
１９１〜１９８、２０１〜２０８  連結リブ
【図１】
2010123311.tif 000003
【図２】
2010123311.tif 000004
【図３】
2010123311.tif 000005
【図４】
2010123311.tif 000006
【図５】
2010123311.tif 000007
【図６】
2010123311.tif 000008
【図７】
2010123311.tif 000009
【図８】
2010123311.tif 000010
【図９】
2010123311.tif 000011
【図１０】
2010123311.tif 000012
【図１１】
2010123311.tif 000013
【図１２】
2010123311.tif 000014
【図１３】
2010123311.tif 000015
【図１４】
2010123311.tif 000016